(57)【要約】【課題】曲面に対して充分に貼り付けることが可能であり、形状が変化しにくい化粧パネルを提供する。【解決手段】本発明を適用した化粧パネルの一例である曲面用パネル材１は、基板材２と、波山部３と、シート材４を備えている。また、基板材２には、基板材２を貫通した溝部５が、波山部３に対応する位置に形成されている。【選択図】図１
2014074281.tif 000002
【特許請求の範囲】
【請求項１】
一方の面に所定の凸部が形成された基板材と、
前記一方の面側に設けられると共に、伸縮性を有するシート材と、
前記基板材の前記一方の面とは逆側の面の前記凸部に対応する領域に位置すると共に、前記基板材の前記一方の面とは逆側の面から略垂直かつ同基板材の長手方向と略平行に形成された溝部とを備える
化粧パネル。
【請求項２】
前記溝部は前記基板材を貫通して形成された
請求項１に記載の化粧パネル。
【請求項３】
前記凸部の高さが略均一に形成された
請求項１または請求項２に記載の化粧パネル。
【請求項４】
前記基板材の短手方向に向けて前記一方の面に前記凸部を頂点とする波型が略等間隔に形成された
請求項１、請求項２または請求項３に記載の化粧パネル。
【請求項５】
前記シート材の上部に設けられた化粧シート材を備える
請求項１、請求項２、請求項３または請求項４に記載の化粧パネル。
【請求項６】
前記基板材の前記一方の面とは逆側の面に設けられた裏紙材を備える
請求項１、請求項２、請求項３、請求項４または請求項５に記載の化粧パネル。
【発明の詳細な説明】
【技術分野】
【０００１】
本発明は、化粧パネルに関する。詳しくは、室内の内装面を装飾するために用いられる化粧パネルに係るものである。
【背景技術】
【０００２】
合板や木質材等のパネルに化粧シートを接着して貼り付けた化粧パネルが、商業施設や住宅の内装材として広く用いられている。化粧パネルはシートの色柄やパネルの形状に特徴を持たせることで、室内の内装面に意匠性を持たせている。
【０００３】
こうしたなか、複数のリブ材を取り付ける加工や、基材の表面を削るなどの加工を施すことで、パネル表面に凹凸形状を形成し、内装面側のデザインとした化粧パネルが多数存在する。このような化粧パネルとして、例えば、特許文献１に記載の化粧パネルが提案されている。
【０００４】
ここで、特許文献１には、図６に示すような化粧パネル１００が記載されている。化粧パネル１００は、本体となる基材１０１と基材１０１の表面に細長い複数のリブ材１０２を有している。基材１０１とリブ材１０２はそれぞれ表面に化粧フィルム１０３が設けられている。基材１０１とリブ材１０２を別体に構成することで、化粧パネル１００の表面の形状や色を自在に設計することができる。
【先行技術文献】
【特許文献】
【０００５】
【特許文献１】特開２００９−１３７１８号公報
【発明の概要】
【発明が解決しようとする課題】
【０００６】
しかしながら、特許文献１に記載された化粧パネルは、曲面を有する壁への貼り付けが難しく、特に、曲率の大きな壁面に対しては、貼り付けることができないという問題があった。また、貼り付ける壁面の上に凹凸が連続して形成されたような自由な曲面形状を有する壁に対してパネルを貼り付けることも難しかった。
【０００７】
また、曲面を有する壁への貼り付けを可能にするために、パネル基材を薄く削り、パネルの曲がりを大きくするという方法が存在するが、曲面へ貼り付ける際に、パネルを曲げることで生じる負荷によって、パネルの形状を維持することが難しかった。
【０００８】
特に、パネル表面にデザインとして凹凸形状が形成されたものでは、パネルの貼り付け後に、時間の経過と共に、見栄えが大きく変わってしまい、所望のデザインを維持することが困難であった。また、曲げた際のパネル基材の反発力により施工性が悪く、使用できる材料が限定されるという不具合も存在した。
【０００９】
また、パネルの曲がりを大きくするために、パネル基材の内装面側から複数の溝を設ける方法も考えられる。しかし、溝の存在により、パネルの見栄えが悪くなってしまう問題があった。また、曲率の大きな壁面に対しては、溝の数を増やす必要があるため、化粧パネルを所望のデザインにすることが難しかった。
【００１０】
本発明は、以上の点に鑑みて創案されたものであり、曲面に対して充分に貼り付けることが可能であり、形状が変化しにくい化粧パネルを提供することを目的とする。
【課題を解決するための手段】
【００１１】
上記の目的を達成するために、本発明の化粧パネルは、一方の面に所定の凸部が形成された基板材と、前記一方の面側に設けられると共に、伸縮性を有するシート材と、前記基板材の前記一方の面とは逆側の面の前記凸部に対応する領域に位置すると共に、前記基板材の前記一方の面とは逆側の面から略垂直かつ同基板材の長手方向と略平行に形成された溝部とを備える。
【００１２】
ここで、化粧パネルが基板材を有することによって、基板材を化粧パネルの土台として、パネルの形状を構築することができる。
【００１３】
また、一方の面に所定の凸部が形成された基板材を有することによって、化粧パネルを設置した内装面に意匠性を持たせることができる。即ち、大きさや形状を変えた凸部を基板材に形成することで、化粧パネルの見栄えに特徴を与えることができる。
【００１４】
また、基板材の一方の面側に伸縮性を有するシート材を設けることによって、シートの伸縮性により、化粧パネルの形状を維持することができる。
【００１５】
また、基板材の一方の面とは逆側の面から略垂直に形成された溝部を有することによって、基板材の一方の面と直交する方向を軸にして、基板材を凹凸に曲げることができる。即ち、化粧パネルを曲面に貼り付けることができる。また、溝部を介してパネルが曲がることで、パネルに負荷が生じにくくなり、化粧パネルの形状を維持することができる。
【００１６】
また、基板材に略垂直かつ基板材の長手方向と略平行に形成された溝部を有することによって、基板材の長手方向に渡って、基板材を凹凸に曲げることができるようになる。
【００１７】
また、溝部が、基板材の一方の面とは逆側の面から形成されたことによって、化粧パネルの内装面側の見栄えを損なわずに、化粧パネルを曲面に貼り付けることができる。
【００１８】
また、基板材の一方の面とは逆側の面の凸部に対応する領域に位置する溝部を有することによって、パネルを大きく曲げることができる。即ち、凸部に対応する位置とは、パネルの内装面と壁に設置する面の間の領域が大きくなる部分である。ここに対応する位置に溝部を設けることで、パネル全体を曲がりやすくすることができ、曲率の大きな壁面に対しても、貼り付けることが可能となる。
【００１９】
また、基板材の一方の面とは逆側の面の凸部に対応する領域に位置する溝部を有することによって、曲げた際にパネルに負荷が生じにくくなり、化粧パネルの形状を維持することができる。さらに、パネルに力を加えて曲げるわけではないので、基材の反発力も生じにくく、使用できる材料の種類を増やすことができる。
【００２０】
また、溝部が基板材を貫通して形成された場合には、溝部が深くなったことになり、基板材の曲がりを大きくすることができる。即ち、より曲率の大きな曲面に対しても化粧パネルを貼り付けることができるようになる。また、パネルに生じる負荷も生じにくくなり、さらに一層、化粧パネルの形状を維持することができる。
【００２１】
また、凸部の高さが略均一に形成された場合には、パネルのデザインとなる凸部が揃った形状となり、パネルの見栄えを良くすることができる。また、凸部を有するデザインにおいて、種々のバリエーションに対応させることができる。
【００２２】
また、基板材の短手方向に向けて一方の面に凸部を頂点とする波型が略等間隔に形成された場合には、パネルの内装面を、凸部同士の間に滑らかな曲面が略等間隔に並んだ形状にすることができる。凸部だけでなく曲面も設けられたことから、パネルの外観から生じる印象を柔らかいものにし、パネルの意匠性を向上させることができる。
【００２３】
また、シート材の上部に設けられた化粧シート材を備える場合には、所望の色柄を有する化粧シート材により、化粧パネルの意匠性を向上させることができる。
【００２４】
また、基板材の一方の面とは逆側の面に設けられた裏紙材を備える場合には、裏紙材を介して所望の機能を化粧パネルに付与することができる。ここでいう機能とは、例えば、防水機能などであり、このような裏紙材を貼り付けた場合には、化粧パネルの耐久性を向上させることができる。
【発明の効果】
【００２５】
本発明に係る化粧パネルは、曲面に対して充分に貼り付けることが可能であり、形状が変化しにくいものとなっている。
【図面の簡単な説明】
【００２６】
【図１】本発明を適用した化粧パネルの一例を示す概略図である。
【図２】化粧パネルを内装面側から見た概略斜視図（ａ）及び内装面とは逆側から見た概略斜視図（ｂ）である。
【図３】曲面用パネルを曲面に貼り付けた状態を示す概略図である。
【図４】本発明を適用した化粧パネルの一例を示す概略図である。
【図５】本発明を適用した化粧パネルの一例を示す概略図である。
【図６】従来の化粧パネルの概略図である。
【発明を実施するための形態】
【００２７】
以下、本発明を適用した化粧パネルの一例について図面を参照しながら説明し、本発明の理解に供する。
図１は、本発明を適用した化粧パネルの一例を示す概略図である。図２は、化粧パネルを内装面側から見た概略斜視図（ａ）及び内装面とは逆側から見た概略斜視図（ｂ）である。
【００２８】
図１（ａ）に示すように、本発明を適用した化粧パネルの一例である曲面用パネル材１は、基板材２と、波山部３と、シート材４を備えている。また、基板材２には、基板材２を貫通した溝部５が、波山部３に対応する位置に形成されている。
【００２９】
また、波山部３は基板材２の内装面側（図１の上面側）に略等間隔で形成されている。波山部３は、頂点と頂点の間に滑らかな曲面を有している。また、各々の波山部３の壁に設置する面からの高さは略等しいものとなっている。図１では、Ｈ１及びＨ２の符号により示している。
【００３０】
また、基板材２はＭＤＦ材で形成されている。また、シート材４は、樹脂含浸紙で形成されており、基板材２の内装面側を覆っている。
【００３１】
また、溝部５は、波山部３を頂点とした略Ｖ字型の形状となっている。溝部５同士の間の化粧パネルの領域は、図１の符号Ｗ１及びＷ２で示すように、略同じ大きさとなっている。
【００３２】
また、図２に示すように、波山部３及び溝部５は曲面用パネル材１の長手方向に沿って形成されている。
【００３３】
ここで、基板材２の内装面の形状が、必ずしも、波山部３を有する形状にされる必要はない。内装面の形状は、所望のデザインに応じて変更することができる。
【００３４】
また、必ずしも、溝部５は基板材２を貫通するように形成される必要はなく、図１（ｂ）に示すような、溝部５が基板材２を貫通していない曲面用パネル材１の形状にすることもできる。但し、溝部５が深くなり、基板材の曲がりを大きくすることができる点から、溝部５は基板材２を貫通した構成にされることが望ましい。
【００３５】
また、波山部３は、必ずしも、基板材２の内装面側に略等間隔で形成される必要はない。但し、パネルの意匠性を向上させることができる点から、波山部３が基板材２の内装面側に略等間隔で形成された構成にされることが好ましい。
【００３６】
また、必ずしも、各々の波山部３の壁に設置する面からの高さは略等しいものに形成される必要はない。高さが異なる形状にすることもできる。但し、パネルの見栄えを良くすることができる点及び凸部を有するデザインの種々のバリエーションに対応させることが出来る点から、各々の波山部３の壁に設置する面からの高さは略等しいものに形成されることが好ましい。
【００３７】
また、基板材２の素材はＭＤＦ材に限定されるものではない。例えば、珪酸カルシウム板を用いることもできる。
【００３８】
また、シート材４は、基板材２の形状を維持することができれば充分であり、必ずしも、樹脂含浸紙で形成される必要はない。但し、基板材２の形状維持の効果が高く、強度も有する点から、シート材４には樹脂含浸紙で形成されることが好ましい。
【００３９】
また、溝部５は、必ずしも、波山部３を頂点とした略Ｖ字型の形状となる必要はない。内装面の凸部に対応する位置に溝部５が形成されれば充分である。例えば、断面が略長方形の形状となる溝部にすることもできる。
【００４０】
また、必ずしも、溝部５同士の間の化粧パネルの領域が略同じ大きさとなる必要はない。但し、パネルの意匠性を向上させることができる点から、溝部５により分けられた化粧パネルの領域が略同じ大きさに形成されることが好ましい。
【００４１】
また、曲面用パネル１の大きさや形状は、特定のものに限定されるわけではない。設置される環境に応じて、曲面用パネル１の大きさや形状は選択することができる。
【００４２】
図１に示すように、シート材４の上部には、突板６が貼り付けられている。また、基板材２の裏面には、防水紙７が貼りつけられている。
【００４３】
ここで、必ずしも、シート材４の上部に突板６が貼り付けられる必要はない。但し、曲面用パネル材１の外観を美しい木目を有するものにし、意匠性を向上させる点から、突板６が貼りつけられることが好ましい。
【００４４】
また、必ずしも、基板材２の裏面には、防水紙７が貼りつけられる必要はない。但し、基板材２などから生じる水分や湿気などに対して曲面用パネル材１に耐久性を持たせる点から、基板材２の裏面に防水紙７が貼りつけられることが好ましい。
【００４５】
以下、本発明を適用した化粧パネルの一例である曲面用パネル材１の使用形態として、曲面に貼り付けた状態を示す。
図３は、曲面用パネルを曲面に貼り付けた状態を示す概略図である。
【００４６】
図３（ａ）に示すように、凸型の曲面８に曲面用パネル材１を貼り付けた場合、溝部５同士の間の領域ごとに曲面用パネル材１は曲がることになる。溝部５同士の間の領域が近接し、溝部５の領域が小さくなる形状となる。溝部５の存在により、曲面用パネル材１を曲げた際に、パネルに負荷が生じにくくなり、曲面用パネル材１の形状を維持することができる。
【００４７】
ここで、溝部５の基板材２に形成される領域が大きくなれば、曲面用パネル材１を一層曲げることができ、曲率の大きな凸型の曲面に対しても、曲面用パネル１を貼り付けることができる。
【００４８】
図３（ｂ）に示すように、凹型の曲面９に曲面用パネル材１を貼り付けた場合、凸型の曲面８に貼り付けた場合と同じ様に、溝部５同士の間の領域ごとに曲面用パネル材１は曲がることになる。また、溝部５の壁への設置面側の領域が広がる形状となる。溝部５の存在により、曲面用パネル材１を曲げた際に、パネルに負荷が生じにくくなり、曲面用パネル材１の形状を維持することができる。
【００４９】
また、貼り付ける壁面の上に凹凸が連続して形成されたような自由な曲面形状を有する壁に対しても、曲面用パネル材１は貼り付けることができる。この場合、曲面用パネル材１は、凸型と凹型の両方の曲面に対応して曲がることになる。
【００５０】
以下、本発明を適用した化粧パネルの他の実施形態について説明する。
図４及び図５は、本発明を適用した化粧パネルの一例を示す概略図である。
【００５１】
図４（ａ）に化粧パネルの実施形態１を示す。実施形態１では、パネルの内装面側に設けられた凸部の大きさが異なるものとなっている。また、各凸部の対応する位置には、溝部形成されている。このように凸部の大きさが異なる場合も、化粧パネルを曲げて曲面に貼り付けることができる。
【００５２】
図４（ｂ）に化粧パネルの実施形態２を示す。実施形態２では、パネルの内装面側の凸部の間に平坦な面が設けられたものとなっている。このように、凸部が尖った形状のものばかりでなく、面として突出した形状にもすることができる。面の両端の部分に対応する位置に溝部が形成されているが、必ずしも、両端の位置でなく、面の途中の領域に溝部を形成することも可能である。
【００５３】
図５（ａ）に化粧パネルの実施形態３を示す。実施形態３では、パネルの内装面側に同じ大きさの凸部が連続して設けられている。凸部同士の間隔が狭いため、凸部に対応する位置に形成された溝部の間隔も狭くなっている。このことによって、化粧パネル全体に形成された溝部の数も多くなり、より曲率の大きな曲面に対しても貼り付けることが可能になる。
【００５４】
図５（ｂ）に化粧パネルの実施形態４を示す。実施形態４では、パネルの内装面側に同じ大きさの凸部２つが連続して設けられ１組のセットになっている。また、その次の凸部も同じ大きさの凸部２つが連続して設けられ１組のセットになっている。そして、各組の大きさは異なるものとなっている。このように、凸部の大きさを変えながら、組みにして形成し、内装面側の印象を変えることもできる。
【００５５】
ここまでに、幾つかの化粧パネルの形状を例として挙げたが、本発明を適用した化粧パネルの形状は、ここに記載されたものに限定されるものではなく、設置される環境に応じて、種々のデザインを選択することができる。
【００５６】
以上のように、本発明に係る化粧パネルは、曲面に対して充分に貼り付けることが可能であり、形状が変化しにくいものとなっている。
【符号の説明】
【００５７】
１      曲面用パネル材
２      基板材
３      波山部
４      シート材
５      溝部
６      突板
７      防水紙
８      凸型の曲面
９      凹型の曲面
Ｈ１    波山部の壁に設置する面からの高さ
Ｈ２    波山部の壁に設置する面からの高さ
Ｗ１    溝部同士の間の化粧パネルの領域
Ｗ２    溝部同士の間の化粧パネルの領域
【図１】
2014074281.tif 000003
【図２】
2014074281.tif 000004
【図３】
2014074281.tif 000005
【図４】
2014074281.tif 000006
【図５】
2014074281.tif 000007
【図６】
2014074281.tif 000008